(57)【要約】【課題】部品コストおよび組み付けコストの高騰を抑えた上で給紙トレイからの用紙の飛散を確実に防止することができるようにする。【解決手段】用紙Ｐを載置する給紙トレイ１４と、この給紙トレイ１４に載置された用紙Ｐから１枚ずつを取り込む給送ローラ対５０とが機器本体１１の上面に対して開閉自在に装着された蓋体１２に設けられてなるものであり、給紙トレイ１４に載置された用紙Ｐを押圧し得る用紙押圧姿勢と押圧を解除する解除姿勢との間で姿勢変更可能な用紙固定手段（第１実施形態の場合はピックアップローラ５２、第２実施形態の場合はリフト板８０）と、用紙Ｐが給紙トレイ１４上に載置されたことを検出する用紙有無センサ７９１と、この用紙有無センサ７９１の検出信号に基づいてピックアップローラ５２に用紙Ｐを押圧させるべく制御する制御装置７０とが設けられている。【選択図】  図２
2005015181.tif 000002
【特許請求の範囲】
【請求項１】
画像形成装置の装置本体の上部に設置され、原稿押えを下部に備えるとともに、上部に給紙トレイ上に載置された用紙を装置本体に向けて自動的に給送するための給紙機構を備えた用紙給送装置であって、
前記給紙トレイに載置された用紙を給紙トレイの底板に押圧して固定する用紙固定姿勢と、この固定を解除する解除姿勢との間で姿勢変更可能な用紙固定手段と、
前記給紙トレイに用紙が載置されたことを検出する用紙有無センサと、
この用紙有無センサが給紙トレイ上の用紙を検出した検出信号に基づいて前記用紙固定手段を前記固定姿勢に変更する制御手段とが設けられていることを特徴とする用紙給送装置。
【請求項２】
前記用紙固定手段は、前記給紙トレイ上に設けられ、給紙トレイ上の用紙を装置本体へ向けて繰り出すピックアップローラであり、前記制御手段は、前記用紙有無センサの検出信号に基づき前記ピックアップローラを回転停止させた状態で前記用紙固定姿勢に変更させるものであることを特徴とする請求項１記載の用紙給送装置。
【請求項３】
前記用紙固定手段は、前記給紙トレイの底部の一部に前記ピックアップローラに対向して設けられた可動底板であり、前記制御手段は、前記用紙有無センサの検出信号に基づき前記可動底板を用紙固定姿勢に変更させるものであることを特徴とする請求項１記載の用紙給送装置。
【請求項４】
原稿押えを下部に備えるとともに、上部に給紙トレイ上に載置された用紙を装置本体に向けて自動的に給送するための給紙機構を備えた用紙給送装置を前記装置本体の上部に設置してなる画像形成装置であって、
前記給紙トレイに載置された用紙を給紙トレイの底板に押圧して固定する用紙固定姿勢と、この固定を解除する解除姿勢との間で姿勢変更可能な用紙固定手段と、
前記給紙トレイに用紙が載置されたことを検出する用紙有無センサと、
この用紙有無センサが給紙トレイ上の用紙を検出した検出信号に基づいて前記用紙固定手段を前記固定姿勢に変更する制御手段とが設けられていることを特徴とする画像形成装置。
【発明の詳細な説明】
【０００１】
【発明の属する技術分野】
本発明は、画像形成装置の装置本体の原稿画像読み取り位置に用紙を送り込む用紙給送装置およびこの用紙給送装置が適用された画像形成装置に関するものである。
【０００２】
【従来の技術】
通常、複写機やプリンタ、さらにはファクシミリ装置等の画像形成装置には、装置本体の頂部に開閉自在の用紙押えが設けられ、この用紙押えにさらに給紙トレイが設けられている。用紙押えは、ブックシート等の閉じ合わせられた原稿の画像や、マニュアルで一枚ずつの原稿の画像を読み取らせるときに開かれるものであり、用紙押えを開いた状態で画像形成装置の装置本体上面に設けられたコンタクトガラス上に用紙が載置された状態で原稿画像の読み取りに供されるようになっている。
【０００３】
これに対し給紙トレイは、用紙押えを閉じた状態で積層状態の複数枚の用紙が載置可能に構成され、これら複数枚の用紙が所定の給送装置の駆動で１枚ずつ連続的にコンタクトガラスに向けて繰り出されるようになっている。因みに、普段は用紙押えが存在せず、メンテナンス時にのみ給紙トレイが装着された蓋が開放されるような機種も存在する。かかる機種の画像形成装置においては、ブックシート等の閉じ合わせの原稿の読み取りは行われず、専ら給紙トレイからの原稿給紙のみが行われる。
【０００４】
ところで、このような画像形成装置において、給紙トレイに複数枚の用紙が載置された状態で用紙押え（あるいは蓋）を開放するために傾けると、給紙トレイに載置された原稿がずり落ちてしまうという不都合が生じる。かかる不都合を解消するために、特許文献１には、用紙押えが開放されることによって傾いたとき、この傾きを検出して給送装置で用紙が押圧され、これによって用紙のずり落ちが防止されるようになされている。
【０００５】
しかしながら、このような用紙飛散防止方式にあっては、用紙押えが急激に開放されると、給送装置による用紙押圧動作が前記急激な開放に追随することができず、結果として用紙が飛散してしまうという不都合が生じる。
【０００６】
かかる不都合を解消するものとして、特許文献２および特許文献３には、用紙押えに用紙の落下を防止する壁やストッパを設けたものが記載されている。また、特許文献４および特許文献５には、用紙押えを傾けると、この用紙押えの側縁に沿って設けられ、且つ普段は横臥している落下防止部材が立ち上がり、この落下防止部材に阻止されることによって用紙のずり落ちを防止するようにしたものが記載されている。
【０００７】
【特許文献１】
特開平５−１１６８０４号公報
【特許文献２】
特開平６−１９９４４３号公報
【特許文献３】
特開平１１−２０９５７号公報
【特許文献４】
特開２０００−３４４３９８号公報
【特許文献５】
特開２００１−１６３４７１号公報
【０００８】
【発明が解決しようとする課題】
しかしながら、特許文献２や特許文献３のように、給紙トレイの所定の位置にたとえ壁やストッパを設けても、用紙が固定されているわけではないため、用紙押えを勢いよく開放した場合など、用紙が勢い余って給紙トレイから飛散してしまう場合があるという不具合が生じる。
【０００９】
また、特許文献４や特許文献５のものにあっては、用紙の落下を防止するべく用紙押えの側縁に沿って上下方に向けて出没可能な落下防止部材を設けなければならず、その構造が複雑で多くの部品を必要とするため、部品コストおよび組み付けコストが嵩むばかりか、用紙押えを勢いよく開放した場合に用紙が勢い余って給紙トレイから飛散してしまう場合があるという不具合については改善されるものではない。
【００１０】
本発明は、上記のような問題点を解消するためになされたものであり、部品の追加を最小限に抑えて部品コストおよび組み付けコストの高騰を抑えた上で給紙トレイからの用紙の飛散を確実に防止することができる用紙給送装置およびこの用紙給送装置が適用された画像形成装置を提供することを目的としている。
【００１１】
【課題を解決するための手段】
請求項１記載の発明は、画像形成装置の装置本体の上部に設置され、原稿押えを下部に備えるとともに、上部に給紙トレイ上に載置された用紙を装置本体に向けて自動的に給送するための給紙機構を備えた用紙給送装置であって、前記給紙トレイに載置された用紙を給紙トレイの底板に押圧して固定する用紙固定姿勢と、この固定を解除する解除姿勢との間で姿勢変更可能な用紙固定手段と、前記給紙トレイに用紙が載置されたことを検出する用紙有無センサと、この用紙有無センサが給紙トレイ上の用紙を検出した検出信号に基づいて前記用紙固定手段を前記固定姿勢に変更する制御手段とが設けられていることを特徴とするものである。
【００１２】
この発明によれば、例えば用紙の原稿画像を読み取らせるために用紙を給紙トレイ上に載置すると、用紙有無センサがそのことを検出し、この検出信号は制御手段へ入力される。そして、この検出信号が入力された制御手段は、用紙固定手段が給紙トレイ上の用紙を固定する用紙固定姿勢に姿勢変更させるように制御するため、用紙は給紙トレイの底部と用紙固定手段とで押圧挟持されて固定された状態になり、これによってたとえ原稿画像を１枚ずつの用紙から読み取るためや、メンテナンスのために用紙押えを傾けても、用紙が給紙トレイ上からばらけ落ちるのを確実に防止することができる。
【００１３】
請求項２記載の発明は、請求項１記載の発明において、前記用紙固定手段は、前記給紙トレイ上に設けられ、給紙トレイ上の用紙を装置本体へ向けて繰り出すピックアップローラであり、前記制御手段は、前記用紙有無センサの検出信号に基づき前記ピックアップローラを回転停止させた状態で前記用紙固定姿勢に変更させるものであることを特徴とするものである。
【００１４】
この発明によれば、給紙トレイに用紙が載置されると、制御手段からの制御信号によってピックアップローラは、用紙の繰り出しを抑制した状態で用紙を押圧するため、給紙トレイ上の用紙は、ピックアップローラと給紙トレイの底部との間に押圧挟持された状態になり、飛散が防止される。
【００１５】
しかも、用紙固定手段として用紙繰り出し用のピックアップローラが兼用されているため、用紙の飛散防止用として新たな部品を付加する必要がなくなり、部品コストの上昇を抑えた上で給紙トレイ上の用紙の飛散を確実に防止することが可能になる。
【００１６】
請求項３記載の発明は、請求項１記載の発明において、前記用紙固定手段は、前記給紙トレイの底部の一部に前記ピックアップローラに対向して設けられた可動底板であり、前記制御手段は、前記用紙有無センサの検出信号に基づき前記可動底板を用紙固定姿勢に変更させるものであることを特徴とするものである。
【００１７】
この発明によれば、給紙トレイに用紙が載置されると、制御手段からの制御信号によって給紙トレイの可動底板が用紙を押し上げ、これによって給紙トレイ上の用紙は、ピックアップローラと可動底板との間に押圧挟持された状態になり、飛散が防止される。
【００１８】
しかも、用紙の刳り出し用に可動底板が採用されている機種にあっては、用紙固定手段として既設の可動底板を兼用することができ、用紙の飛散防止用として新たな部品を付加する必要がなくなり、部品コストの上昇を抑えた上で給紙トレイ上の用紙の飛散を確実に防止することが可能になる。
【００１９】
請求項４記載の発明は、原稿押えを下部に備えるとともに、上部に給紙トレイ上に載置された用紙を装置本体に向けて自動的に給送するための給紙機構を備えた用紙給送装置を前記装置本体の上部に設置してなる画像形成装置であって、前記給紙トレイに載置された用紙を給紙トレイの底板に押圧して固定する用紙固定姿勢と、この固定を解除する解除姿勢との間で姿勢変更可能な用紙固定手段と、前記給紙トレイに用紙が載置されたことを検出する用紙有無センサと、この用紙有無センサが給紙トレイ上の用紙を検出した検出信号に基づいて前記用紙固定手段を前記固定姿勢に変更する制御手段とが設けられていることを特徴とするものである。
【００２０】
この発明によれば、画像形成装置を対象として請求項１記載の発明と同様の作用効果を得ることができる。
【００２１】
【発明の実施の形態】
図１は、本発明に係る用紙給送装置が適用された画像形成装置の一実施形態を示す側面視の説明図である。この図に示すように、画像形成装置１０は、箱形を呈した機器本体（被給送装置）１１の上面開口に蓋体（用紙押え）１２が装着されることによって形成され、蓋体１２部分に原稿画像を読み取るために原稿を給送する給送装置２０を備えてた用紙給送部１３が形成されているとともに、機器本体１１に画像形成のための各種の機器が内装されて構成されている。
【００２２】
すなわち、機器本体１１内には、給送装置２０によって給紙された用紙Ｐの原稿画像を読み取る図略の光学系１６、この光学系１６が読み取った原稿画像を所定の用紙Ｐにトナー画像として転写する現像装置１７１や感光体ドラム１７２等の機器を備えた現像部１７、この現像部１７でトナー画像の転写された用紙Ｐに定着処理を施す定着ローラ１８１等を備えた定着部１８、および転写用の用紙Ｐを積層貯留する複数の給紙カセット１９１および手差しトレイ１９２等を備えた給紙部１９等が内装されている。
【００２３】
そして、給紙部１９から給紙された用紙Ｐは、所定の搬送路を通って現像部１７に送り込まれ、ここで現像装置１７１からのトナー（現像剤）の供給を受けて感光体ドラム１７２の周面のトナー像（このトナー像は、光学系により読み取られた画像データに基づき一旦感光体ドラム１７２の周面に形成された静電潜像にトナーが供給されることによって形成される）が転写される現像処理が施され、定着部１８で定着ローラ１８１による熱定着処理が施された後、機器本体１１の一側面に設けられた排紙部１９０に向けて排紙されるようになっている。
【００２４】
前記蓋体１２には、用紙給送部１３内の給送装置２０へ向かうように斜め上方へ向けて突設された給紙トレイ１４と、この給紙トレイ１４の下方位置の蓋体１２の略全面に亘って形成された排紙トレイ１５とが設けられている。給紙トレイ１４の基端部（図１の左方）には、幅方向一対の用紙幅設定部材１４１が設けられ、読み込もうとする用紙Ｐのサイズに応じてこれら一対の用紙幅設定部材１４１間の内寸法を調節することにより、給紙トレイ１４上における用紙Ｐの幅方向の位置決めが行われるようになっている。
【００２５】
前記用紙給送部１３は、幅方向一対のフレーム板１３１と、このフレーム板１３１の上縁部間に架設された開閉可能な天板１３２と、フレーム板１３１間の給紙トレイ１４と反対側の面を覆う背面板１３３とによって囲繞された空間内に本発明に係る用紙送給装置２０が装着されることによって形成されている。一対のフレーム板１３１と天板１３２とに囲まれた、背面板１３３と対向する開口部に、給紙トレイ１４上に載置された用紙Ｐを用紙給送部１３内に引き入れるための給送口１３４が形成されている。
【００２６】
そして、用紙幅設定部材１４１によって位置決めされた状態で給紙トレイ１４上に載置された積層状態の複数枚の用紙Ｐは、用紙送給装置２０の駆動によって１枚ずつが用紙給送部１３内に順次引き入れられ、光学系１６によって原稿面の画像が光学的に読み取られるようになっている。
【００２７】
かかる画像形成装置１０において、機器本体１１の上面のユーザー側から見て手前側には、蓋体１２と干渉しない位置にスタートボタン１１１（図１）が設けられ、このスタートボタン１１１を押下操作することによって給紙トレイ１４上に載置された用紙Ｐの読み込み処理が開始されるようになっている。
【００２８】
図２および図３は、用紙送給装置２０を説明するための天板１３２および背面板１３３が取り外された状態の用紙給送部１３を示す斜視図であり、図２は、左側部側から見た図、図３は、右側部側から見た図である。また、図４は、蓋体１２の側面視の断面図である。さらに、図５は、用紙給送部１３に装着される用紙送給装置２０を示す斜視図であり、（イ）は、用紙給送ユニットが駆動ユニットから取り外された状態、（ロ）は、用紙給送ユニットが駆動ユニットに装着された状態をそれぞれ示している。以下、これらの図を基に、本発明に係る第１実施形態の用紙ずり落ち防止構造が適用された給送装置２０について説明する。
【００２９】
用紙送給装置２０は、給紙トレイ１４に載置された用紙Ｐを機器本体１１内に送り込む用紙給送ユニット３０と、この用紙給送ユニット３０を駆動させる駆動ユニット６０とを備えて構成されている。
【００３０】
前記用紙給送ユニット３０は、幅方向一対のフレーム板１３１間に架設されるローラ軸３１と、このローラ軸３１の中央部に装着されるケーシング４０と、このケーシング４０に支持される給送ローラ対（用紙取込機構）５０と、前記給送ローラ対５０に取り付けられるストッパ３９とを備えている。
【００３１】
ローラ軸３１は、図２および図３に示すように、幅方向一対のフレーム板１３１間であって、用紙幅設定部材１４１より若干下流側（図２の左方側、図３の右方側）の上部位置に架設されている。かかるローラ軸３１は、図５に示すように、ローラ軸本体３２と、このローラ軸本体３２の図５における右端部に形成された扁平キー３３と、同左端部に形成された切込み溝３４とを備えて構成されている。
【００３２】
扁平キー３３は、ローラ軸３１の一方の端部（図５における右端部）を、軸受部材２１を介して駆動ユニット６０に着脱自在に装着するためのものであり、切込み溝３４は、軸受部材２１を介してフレーム板１３１に嵌挿されたローラ軸３１の他方の端部（図５における左端部）に抜け止め用のストップリング２２を装着するためのものである。
【００３３】
軸受部材２１としては、ローラ軸３１の図５における右端部に形成された扁平キー３３が嵌入される第１軸受部材２１１と、同左端部が嵌入される第２軸受部材２１２とが採用されている。これらの軸受部材２１は、外径寸法が各フレーム板１３１の所定の孔（後述の嵌挿孔１３４）に摺接状態で嵌入され得るように外径寸法が設定されている。第１軸受部材２１１には中心位置に伝達ギヤ６４のボス部６４１に外嵌される円孔２１３が穿設されている。
【００３４】
これに対し、第２軸受部材２１２には、その中心位置にローラ軸３１へ摺接状態で外嵌され得るように内径寸法が設定された円形の軸受孔２１４が穿設されている。また、ローラ軸３１の切込み溝３４が設けられている側の端部には、半円球状に形成された半円球部３５が形成され、この半円球部３５によってもローラ軸３１の端部が軸受孔２１１に嵌挿され易くなっている。なお、ローラ軸３１の切込み溝３４側の端部を半円球状に形成することに限定されるものではなく、径方向へ切断したような切断形状であってもよい。
【００３５】
一方、各フレーム板１３１には、ローラ軸３１を支持するための嵌挿孔１３４がそれぞれ穿設されている（図２）。各嵌挿孔１３４は、軸受部材２１（第１軸受部材２１１および第２軸受部材２１２）が回り止め状態で嵌め込まれるように孔径寸法が設定されている。
【００３６】
前記ケーシング４０は、給送ローラ対５０を支持するためのものであり、天板４１と、この天板４１の両側部が下方に向けて折り曲げられることにより形成した幅方向一対の側板４２とを備えて構成されている。かかるケーシング４０は、一対の側板４２に前記ローラ軸本体３２が貫通されることによりローラ軸３１に装着されるようになっている。各側板４２には、ローラ軸本体３２の手前側（図２における用紙幅設定部材１４１側）に、ストッパ３９を軸支するための十字軸４３が外方に向かってそれぞれ突設されている。
【００３７】
このようなケーシング４０は、ローラ軸３１より上流側（図２に右側）の端部が下方に下がって用紙Ｐを給送し得るようになった給紙姿勢と、同上流側端部が上方に退避した退避姿勢との間で姿勢変更可能になっている。ケーシング４０が退避姿勢に姿勢設定された状態で用紙が給紙トレイ１４上に供給される。
【００３８】
そして、前記ストッパ３９は、ケーシング４０が給紙姿勢に姿勢設定された状態で、十字軸４３回りに回動自在に設定され、これによって給送される用紙Ｐを暖簾のように遣り過ごさせ得るようになっている一方、ケーシング４０が退避姿勢に姿勢設定された状態で、上部に突設された突片３９１が用紙給送部１３の天板１３２の裏面に設けられた係止凸部１３６（図８）と干渉し、これによって垂下姿勢が固定されるようになっている。
【００３９】
前記給送ローラ対５０は、給紙トレイ１４上に載置された状態で一対の用紙幅設定部材１４１に挟持され、且つ先端縁部が垂下姿勢に姿勢設定された一対のストッパ３９に当止されることにより位置決めされた用紙Ｐ（図２および図３参照）を１枚ずつ機器本体１１内に給送するものであり、図５に示すように、ケーシング４０の側板４２間においてローラ軸本体３２に同心で一体回転可能に装着された給紙ローラ５１と、この給紙ローラ５１の上流側（図５の紙面の手前側）で側板４２間に設けられたピックアップローラ（用紙固定手段）５２とからなっている。ピックアップローラ５２は、一対の側板４２間に架設されたピックアップローラ軸５３回りに回転可能に軸支されている。
【００４０】
ピックアップローラ軸５３は、給紙トレイ１４上に載置された用紙Ｐの束がストッパ３９によって位置決めされた状態で、ピックアップローラ５２の周面が当該用紙Ｐの最上位のものに当接するように設置位置が設定され、ピックアップローラ５２の回転によって用紙束の最上位の用紙Ｐが引き取られて給紙ローラ５１へ向かうようになされている。ピックアップローラ５２によって取り込まれた用紙Ｐは、下流側の給紙ローラ５１の回転によって機器本体１１内に向けて給送される。
【００４１】
そして、ケーシング４０内における図５に示す給紙ローラ５１の右側部には、ローラ軸本体３２と一体で同心の給紙ローラ用ギヤ５４が設けられているとともに、同ピックアップローラ５２の右側部には、ピックアップローラ軸５３回りに回転自在に軸支されたピックアップローラ軸用ギヤ５５が設けられている。このピックアップローラ軸用ギヤ５５と前記給紙ローラ用ギヤ５４との間には中間ギヤ５６が介設され、これによって給紙ローラ５１とピックアップローラ５２とは用紙Ｐを引き込むように同一方向（図２および図５に示す例では時計方向）に回転するようになっている。
【００４２】
また、給紙ローラ５１と給紙ローラ用ギヤ５４との間には給紙ローラ側ワンウエイクラッチ５１１（図６）が介設されているとともに、ピックアップローラ５２とピックアップローラ軸用ギヤ５５との間にはピックアップローラ側ワンウエイクラッチ５２１（図６）が介設されている。
【００４３】
これら各ワンウエイクラッチ５１１，５２１の作用によって、給紙トレイ１４上の所定位置に用紙Ｐが載置され、且つ用紙Ｐの束の前縁部がストッパ３９に当止された状態で、スタートボタン１１１が押下される前にケーシング４０がローラ軸３１回りに図２における時計方向に回動され、これによって給紙トレイ１４上に載置された用紙Ｐが給紙トレイ１４とピックアップローラ５２との間に押圧挟持されるようになっている。
【００４４】
また、これら各ワンウエイクラッチ５１１，５２１の作用によって給紙ローラ用ギヤ５４およびピックアップローラ軸用ギヤ５５がそれぞれ用紙Ｐを引き込む方向に回転（正回転）しているときには給紙ローラ５１およびピックアップローラ５２が各ギヤ５４，５５と一体回転する一方、各ギヤ５４，５５が逆回転するときには各ローラ５１，５２は回転しないようになされている。
【００４５】
前記駆動ユニット６０は、ローラ軸３１に回転力を付与するものであり、一方のフレーム板１３１（図２の右側、図３の左側）の外面側に固定されている。かかる駆動ユニット６０は、図５に示すように、支持板６１を挟んで外面側に固定された駆動モータ６２と、同内面側に付設されたギヤ群６３とを備えて構成されている。
【００４６】
前記ギヤ群６３は、駆動モータ６２の出力軸６２１と同心で一体回転する駆動ギヤ６３１と、この駆動ギヤ６３１に噛合した第１従動ギヤ６３２と、この第１従動ギヤ６３２に噛合した第２従動ギヤ６３３と、この第２従動ギヤ６３３に噛合した、ローラ軸３１に回転力を伝達する伝達ギヤ６４と、前記第１従動ギヤ６３２に噛合した第３従動ギヤ６３４と、この第３従動ギヤ６３４に噛合したレジストギヤ６５とを有している。
【００４７】
前記第２従動ギヤ６３３は、軸心回りに一体回転する大径ギヤ６３２１と小径ギヤ６３２２とからなり、大径ギヤ６３２１は駆動ギヤ６３１と噛合している一方、小径ギヤ６３２２は、第２従動ギヤ６３３および第３従動ギヤ６３４とそれぞれ噛合している。
【００４８】
前記レジストギヤ６５は、図６に示すように、レジストギヤ軸６５０に装着されたワンウエイクラッチ６５１を介してレジストローラ１３５に同心で連結され、駆動モータ６２が逆駆動（出力軸６２１が軸心回りに時計方向に向かうように回転）したときにのみレジストギヤ６５の回転がワンウエイクラッチ６５１を介してレジストローラ１３５に伝達されるようになっている。
【００４９】
したがって、駆動モータ６２が正駆動（出力軸６２１が軸心回りに反時計方向に向かうように回転）して給紙ローラ５１およびピックアップローラ５２が時計方向に回転し、これによって用紙Ｐがレジストローラ１３５の周面に当接する位置まで送り込まれるまでは、レジストローラ１３５は回転せず、従って、用紙Ｐが読取り位置１６１へ送り込まれることはない。
【００５０】
そして、用紙Ｐのレジストローラ１３５との当接位置近傍には図略の当接センサが設けられ、この当接センサが用紙Ｐを検出することによって駆動モータ６２が逆駆動するようになされている。したがって、当接センサが用紙Ｐを検出すると、レジストローラ１３５は、ワンウエイクラッチ６５１を介してレジストギヤ軸６５０回りに図６における反時計方向に回転し、用紙Ｐを読取り位置１６１へ向けて送り込むことになる。
【００５１】
一方、ケーシング４０は、駆動モータ６２が逆駆動することによって給紙ローラ側ワンウエイクラッチ５１１を介してローラ軸３１回りに図６における反時計方向に回転するため、ピックアップローラ５２が用紙Ｐから離間し、これによって給送ローラ対５０による用紙Ｐの繰り出しは行われなくなり、用紙Ｐを読取り位置１６１へ向けて送り込む役割は専らレジストローラ１３５が担うことになる。
【００５２】
そして、本実施形態においては、給送ローラ対５０によって引き込まれた用紙が用紙給送部１３内の後方（図４の左方）であって、用紙Ｐの原稿画像を読み取る読取り位置１６１の真上に設けられたレジストローラ１３５に到達した時点で、所定のセンサがそのことを検出し、この検出信号に基づく駆動ユニット６０の逆駆動でレジストローラ１３５を正回転させる一方、ローラ軸３１が逆回転されるようになっている。ローラ軸３１の逆回転時に給送ローラ対５０の正回転で一旦引き込んだ用紙Ｐが逆戻りする方向に力を受けるのを避けるために前記各ワンウエイクラッチ５１１，５２１が設けられているのである。
【００５３】
本発明は、このように構成された給送装置２０を前提とし、用紙Ｐが給紙トレイ１４上に載置されてその前端縁がストッパ３９に当止された状態で、ケーシング４０がローラ軸３１回りに図４における時計方向に回動し、これによるピックアップローラ５２の下降で用紙Ｐの前端縁が当該ピックアップローラ５２と給紙トレイ１４の底部との間に押圧挟持され、これによって蓋体１２を開いて傾斜させても用紙Ｐが給紙トレイ１４からずり落ちないようになされている。
【００５４】
かかる制御を行うために、給紙トレイ１４の下流端位置の適所には、給紙トレイ１４上に用紙Ｐが存在しているか否かを検出する用紙有無センサ７９１（図２、図３）が設けられているとともに、ケーシング４０の適所には、ピックアップローラ５２が所定の圧力で用紙Ｐを押圧しているか否かを検出する感圧センサ７９２（図３）が設けられている。各センサ７９１，７９２の検出信号は、機器本体１１内の適所に設けられた制御装置（制御手段）７０（図１）へ入力されるようになっている。そして、これらの検出信号が入力された制御装置７０が所定の制御を行うことでピックアップローラ５２が給紙トレイ１４上の用紙Ｐを押圧するようになされている。
【００５５】
図７は、制御装置７０による用紙落下防止制御を説明するためのブロック図である。この図に示すように、制御装置７０は、中央演算処理装置であるＣＰＵ７１と、読出し専用の外部記憶装置であるＲＯＭ７２と、読み書き自在の外部記憶装置であるＲＡＭ７３とを備えて構成されている。
【００５６】
ＲＯＭ７２には、ピックアップローラ５２による用紙押圧制御に係るプログラムが記憶され、画像形成装置１０の電源スイッチがスイッチオンされることによりＲＯＭ７２に記憶されたプログラムがＣＰＵ７１に読み込まれるようになっている。この読み込み操作で画像形成装置１０は、用紙押圧制御が実行し得る状態に設定される。ＲＡＭ７３には、予め感圧センサ７９２から入力された押圧力に係る判断基準が記憶されている。この判断基準は、状況に応じてＲＡＭ７３の記憶内容を書き換えることで変更可能である。
【００５７】
前記ＣＰＵ７１は、用紙押圧判別部７１１と、押圧信号出力部７１２とを有している。用紙押圧判別部７１１は、原稿画像の読み込み処理のために給紙トレイ１４上に用紙Ｐが載置されたか否かを判別し、載置されている場合には、スタートボタン１１１が押下操作されるまでの間、ピックアップローラ５２によって用紙Ｐを押圧させるように押圧信号出力部７１２に対して指令信号を出力するものである。
【００５８】
そのために用紙押圧判別部７１１は、用紙有無センサ７９１からの用紙有りの検出信号に基づいて給紙トレイ１４上に用紙Ｐが載置されたことを判別し、この判別結果を押圧信号出力部７１２に向けて出力するとともに、感圧センサ７９２からの検出信号に基づいてピックアップローラ５２による用紙Ｐに対する押圧力を調節する信号を押圧信号出力部７１２に向けて出力するようになっている。ＲＡＭ７３には、前記押圧力の基準値（基準押圧力Ｐ０）が記憶されており、用紙押圧判別部７１１は、ＲＡＭ７３から呼び出した基準押圧力Ｐ０と感圧センサ７９２から入力された検出押圧力Ｐ１とを比較演算し、検出押圧力Ｐ１が基準押圧力Ｐ０より大きくなっているときにそのことを示す指令信号を押圧信号出力部７１２へ向けて出力するようになっている。
【００５９】
前記押圧信号出力部７１２は、用紙押圧判別部７１１からの指令信号に基づいて駆動モータ６２に対する電力供給をオン・オフさせるものである。具体的には、押圧信号出力部７１２は、用紙押圧判別部７１１からの用紙Ｐを押圧するための指令信号（この指令信号は、前述のとおり用紙有無センサ７９１からの用紙有りの検出信号に基づき出力される）を受けると、機器本体１１（図１）内の適所に設けられた電力供給切替部６６へ向けて電源６７からの電力を当該駆動モータ６２へ供給させるための制御信号を出力するようになっている。
【００６０】
この制御信号を受けた電力供給切替部６６は、回路を切り換えて電源６７からの駆動モータ６２を正転させるための電力が駆動モータ６２に供給されるようにするため、駆動モータ６２の正転駆動でケーシング４０がローラ軸本体３２回りに図３における反時計方向へ向けて一体回動し、これによってピックアップローラ５２が給紙トレイ１４上の用紙Ｐの前端縁部を押圧することになる。
【００６１】
その後、押圧信号出力部７１２は、用紙押圧判別部７１１から用紙Ｐに対する押圧を継続するための指令信号（この指令信号は、感圧センサ７９２の検出押圧力Ｐ１が基準押圧力Ｐ０を越えた時点で出力される）を受けると、電力供給切替部６６へ向けて駆動モータ６２に対する電力供給をオフするための制御信号を出力するようになっている。
【００６２】
この制御信号を受けた電力供給切替部６６は、ピックアップローラ５２が用紙Ｐを所定の押圧力により押圧した状態で電源６７からの駆動モータ６２への電力供給をオフするため、用紙Ｐは、その前端縁がピックアップローラ５２と給紙トレイ１４の底部との間に押圧挟持された状態になり、これによってこの時点でたとえ蓋体１２が開放されることによって給紙トレイ１４が傾いても、用紙Ｐが給紙トレイ１４からずり落ちるような不都合は生じない。
【００６３】
そして、用紙Ｐがピックアップローラ５２によって押圧された状態でスタートボタン１１１が押下されると、このことを示す信号が用紙押圧判別部７１１へ入力される。この信号が入力された用紙押圧判別部７１１は、駆動モータ６２の制御を、押圧信号出力部７１２を介することなく通常の駆動制御に引き渡すため、この通常の駆動制御によって駆動モータ６２が駆動され、これによって用紙Ｐは、給送装置２０の給送のための定常的な駆動によって読取り位置１６１（図４）へ向けて給送されることになる。
【００６４】
図８は、給送装置２０の作用を説明するための説明図あり、図９は、制御装置７０による第１実施形態の用紙押圧制御を説明するためのフローチャートである。以下、図８および図９を基に本実施形態の作用について説明する。まず、用紙Ｐが給紙トレイ１４の用紙読込み位置に載置されるまでは、図８の（イ）に示すように、ピックアップローラ５２は、ケーシング４０がローラ軸３１回りに反時計方向に回動して傾斜した押圧解除姿勢に姿勢設定されることにより、給紙トレイ１４から上方へ離間した状態になっている。この状態では、ストッパ３９の突片３９１が天板１３２の裏面側に突設された係止凸部１３６と干渉し、これによる十字軸４３回りの時計方向へ向かう回動が阻止された状態になっている。
【００６５】
この状態で、用紙Ｐを給紙トレイ１４上に載置し、図８の（イ）に矢印で示すようにその先端縁をストッパ３９に当止させると、用紙有無センサ７９１が用紙Ｐを検出して図９のステップＳ１が実行され（すなわち、給紙トレイ１４に用紙Ｐが載置されたか否かで用紙押圧判別部７１１によってＹＥＳと判別され）、押圧信号出力部７１２からの制御信号の出力によって電力供給切替部６６を介して駆動モータ６２（図５〜図７）が駆動される（Ｓ２）。
【００６６】
この駆動モータ６２の駆動（図６における出力軸６２１が軸心回りに時計方向へ回転する駆動）によってローラ軸３１が時計方向へ向けて回転するため、給紙ローラ側ワンウエイクラッチ５１１の作用によってケーシング４０もローラ軸３１と一体的に時計方向へ向けて回動し、これによって図８の（ロ）に示すように、給紙トレイ１４上に載置された用紙Ｐの前端縁部がピックアップローラ５２によって下方に向けて押圧された状態になる。
【００６７】
この状態で、ステップＳ３（図９）が実行され、感圧センサ７９２によって検出されたピックアップローラ５２の用紙Ｐに対する検出押圧力Ｐ１が予めＲＡＭ７３に記憶されている基準押圧力Ｐ０を超えているか否かが用紙押圧判別部７１１によって判別される。
【００６８】
そして、検出押圧力Ｐ１が基準押圧力Ｐ０を越えると（Ｐ１＞Ｐ０、ステップＳ３でＹＥＳ）、押圧信号出力部７１２からの制御信号に基づく電力供給切替部６６の切替操作によって電源６７からの電力が駆動モータ６２に供給されなくなるため駆動モータ６２は停止し、これによってケーシング４０のローラ軸３１回りの時計方向へ向かう回動が停止されるため、給紙トレイ１４上の用紙Ｐは、給紙トレイ１４とピックアップローラ５２との間に押圧挟持された状態になるため、この状態で蓋体１２（図１）が開放されることにより給紙トレイ１４が傾いても、用紙Ｐが給紙トレイ１４からずり落ちるような不都合が確実に防止される。
【００６９】
ついで、ステップＳ６が実行され、スタートボタン１１１（図１、図７）が押下されたか否かが問われ、押下されると（ステップＳ６でＹＥＳ）用紙押圧制御が終了し、通常の原稿読取り制御に移行される（Ｓ７）。そして、原稿読取り制御においては、ＣＰＵ７１から電力供給切替部６６に向けて駆動モータ６２を駆動させるための制御信号が出力され、これによる駆動モータ６２の駆動でローラ軸３１が軸心回りに時計方向へ向けて再度回転させられる。
【００７０】
このローラ軸３１の回転によってピックアップローラ５２が用紙Ｐに当止して時計方向へ向かう回転が阻止された状態のケーシング４０もローラ軸３１回りに一体回転しようとするが、給紙ローラ側ワンウエイクラッチ５１１がケーシング４０との当接位置でスリップすることによりローラ軸３１の回転がケーシング４０へ伝達されなくなっているため、給紙ローラ５１のみがローラ軸３１と一体回転することになる。この給紙ローラ５１の回転は、中間ギヤ５６を介してピックアップローラ５２に伝達され、ピックアップローラ５２がピックアップローラ軸５３回りに時計方向へ向けて回転するため、給紙トレイ１４に載置されている用紙束の最上位の用紙Ｐが、図８の（ハ）に示すように、下流側（図８の左方）へ向けて給紙されることになる。
【００７１】
以下、図１０〜図１３を基に、本発明に係る第２実施形態の用紙ずり落ち防止構造が適用された給送装置２０′について説明する。図１０は、第２実施形態の用紙ずり落ち構造が適用された給送装置２０′を説明するための側面視の断面図である。また、図１１は、リフト板（用紙固定手段）８０の駆動構造を説明するための説明図であり、（イ）は、リフト板８０が用紙Ｐを押圧しない押圧解除姿勢に姿勢設定された状態、（ロ）は、リフト板８０が用紙Ｐを押圧する押圧姿勢に姿勢設定された状態をそれぞれ示している。これらの図に示すように、第２実施形態の用紙ずり落ち防止構造は、ピックアップローラ５２の直下に設けられたリフト板（可動底板）８０と、このリフト板８０を姿勢変更させるアクチュエータ８５とを備えて構成されている。
【００７２】
前記リフト板８０は、給紙トレイ１４の下流端（図１０の左方）からピックアップローラ５２の方向へ向けて給紙ローラ用ギヤ５４の直下位置まで略水平に延設された底板１４２上に設けられ、底板１４２の基端側（図１１の右方）で用紙搬送方向に直交する方向に延びたリフト軸８１回りに回動可能に軸支されている。かかるリフト板８０は、リフト軸８１回りに一体的に正逆回動することにより、用紙Ｐに対する押圧を解除した図８の（イ）に示す押圧解除姿勢（水平姿勢）と、図８の（ロ）に示す用紙Ｐを押圧した押圧姿勢（傾斜姿勢）との間で姿勢変更可能になっている。
【００７３】
前記リフト軸８１は、一対のフレーム板１３１間に軸心回りに回転可能に支持され、一方の端部から垂下されたリンクアーム８２を有している。このリンクアーム８２は、アクチュエータ８５によってリフト軸８１回りに回動操作されるものであり、その下部には上下方向に延びた長孔８３が穿設されている。
【００７４】
前記アクチュエータ８５は、本実施形態においては、磁力によって作動するものが採用され、電力が供給されることによって励磁するソレノイドの内装されたアクチュエータ本体８６と、このアクチュエータ本体８６から進退可能に突設されたリンクロッド８７とを備えている。アクチュエータ本体８６は、用紙給送部１３内において、リンクアーム８２の後方位置（図１１の右方）でリンクロッド８７の先端がリンクアーム８２の長孔８３に対応するように位置設定されて所定のフレームに固定されている。リンクロッド８７は、その先端部から直交方向に向けて突設された連結突起８８を有し、この連結突起８８が前記長孔８３に嵌挿されることによってリンクアーム８２とリンクされるようになっている。
【００７５】
そして、アクチュエータ本体８６に電力が供給されていない状態では、リフト板８０は、図１１の（イ）に示すように、給紙トレイ１４の底板１４２と平行になって重なった押圧解除姿勢に姿勢設定される一方、アクチュエータ本体８６に電力が供給されることにより、内部のソレノイドが励磁してリンクロッド８７が前方に向けて突出し、これによる連結突起８８を介したリンクアーム８２の時計方向に向かうリフト軸８１回りの回動によって、リフト板８０は、図１１の（ロ）に示す押圧姿勢に姿勢変更されるようになっている。
【００７６】
そして、用紙Ｐが給紙トレイ１４に載置された状態でリフト板８０が押圧解除姿勢から押圧姿勢に姿勢変更することによって、当該用紙Ｐは、リフト板８０と下降してきたピックアップローラ５２との間に押圧挟持され、これによってたとえ蓋体１２の開放により給紙トレイ１４が傾けられても、給紙トレイ１４からのずり落ちが確実に防止されるようになっている。
【００７７】
因みに用紙有無センサ７９１は、底板１４２におけるピックアップローラ５２の直下位置であって、平面視でリフト板８０と干渉し合わない位置に設けられている。
【００７８】
図１２は、制御装置７０による用紙落下防止制御を説明するためのブロック図である。この図に示すように、制御装置７０は、中央演算処理装置であるＣＰＵ７１と、読出し専用の外部記憶装置であるＲＯＭ７２と、読み書き自在の外部記憶装置であるＲＡＭ７３と、各種の情報を入出力するための入出力部８４とを備えて構成されている点、およびＣＰＵ７１に用紙押圧判別部７１１および押圧信号出力部７１２が設けられている点については、先の実施形態と同様であるが、感圧センサ７９２が採用されない点、および押圧信号出力部７１２から電力供給切替部６６へ向けて出力される制御信号が、駆動モータ６２に代えてアクチュエータ８５を駆動させるためのものである点が先の実施形態と相違している。
【００７９】
以下、図１３を基に、必要に応じて図１１および図１２を参照しながら、第２実施形態の用紙押圧制御について説明する。図１３は、制御装置７０による第２実施形態の用紙押圧制御を説明するためのフローチャートである。まず、ステップＳ１０で、リフト板８０の上に用紙Ｐが存在するか否かが、用紙押圧判別部７１１により用紙有無センサ７９１の検出信号に基づいて判別される。
【００８０】
そして、リフト板８０上に用紙Ｐが存在すると判別されると（Ｓ１０でＹＥＳ）、押圧信号出力部７１２からの制御信号に基づく電力供給切替部６６のスイッチング操作で電源６７からの電力がアクチュエータ本体８６に供給される。これによアクチュエータ８５の駆動（Ｓ１１）で、図１１の（イ）に示す状態であったリンクロッド８７がアクチュエータ本体８６から突出し、長孔８３に嵌挿されている連結突起８８がリンクアーム８２を下流側（図１１の左方）に向けて押圧するため、リフト板８０がリンクアーム８２を介してリフト軸８１回りに時計方向に回動する。
【００８１】
この回動によって用紙Ｐは、その先端部がリフト板８０とピックアップローラ５２とによって押圧挟持された状態になるため、たとえこの時点で蓋体１２が開放されることにより給紙トレイ１４が傾いても、用紙Ｐが給紙トレイ１４上からずり落ちるような不都合の生じることはない。
【００８２】
ついで、スタートボタン１１１（図１）が押下されたか否かが問われ（Ｓ１２）、押下された場合（Ｓ１２でＹＥＳ）には、通常の原稿読取り制御に移行される（Ｓ１３）。なお、通常の原稿読取り制御においては、駆動モータ６２の正駆動により、アクチュエータ８５の電磁力に抗してケーシング４０がローラ軸３１回りに時計方向に若干回動し、これによってストッパ３９の突片３９１が用紙給送部１３の天板１３２の係止凸部１３６から外れるため、用紙Ｐはストッパ３９に阻止されることなく用紙給送部１３内に給送される。
【００８３】
本発明の給送装置２０，２０′は、以上詳述したように、機器本体１１の読取り位置１６１へ給送する用紙Ｐを載置する給紙トレイ１４と、この給紙トレイ１４に載置された用紙Ｐから１枚ずつを取り込む給送ローラ対５０とが機器本体１１の上面に対して開閉自在に装着された蓋体１２に設けられてなるものであり、給紙トレイ１４に載置された用紙Ｐを押圧し得る用紙押圧姿勢と押圧を解除する解除姿勢との間で姿勢変更可能な用紙固定手段（第１実施形態の場合はピックアップローラ５２、第２実施形態の場合はリフト板８０）と、用紙Ｐが給紙トレイ１４上に載置されたことを検出する用紙有無センサ７９１と、この用紙有無センサ７９１の検出信号に基づいてピックアップローラ５２に用紙Ｐを押圧させるべく制御する制御装置７０とが設けられているため、用紙Ｐが給紙トレイ１４上に載置されると、用紙有無センサ７９１がそのことを検出してその検出信号が制御装置７０へ入力され、制御装置７０は、ピックアップローラ５２が給紙トレイ１４上の用紙Ｐを押圧するように制御するため、用紙Ｐは給紙トレイ１４の底部と用紙固定手段とで押圧挟持された状態になり、これによってたとえ原稿を１枚ずつ読み取らせるためやメンテナンスなどのために蓋体１２を開放して給紙トレイ１４を傾けても、用紙Ｐが給紙トレイ１４上からばらけ落ちるのを確実に防止することができる。
【００８４】
また、第１実施形態においては、用紙固定手段そして蓋体１２に設けられた、給紙トレイ１４上の用紙Ｐを機器本体１１へ向けて繰り出させるピックアップローラ５２を採用し、用紙Ｐが給紙トレイ１４に載置されると、制御装置７０からの制御信号によってピックアップローラ５２は、用紙Ｐの繰り出しを抑制した状態で用紙Ｐを押圧するため、給紙トレイ１４上の用紙Ｐは、ピックアップローラ５２と給紙トレイ１４の底部との間に押圧挟持された状態になり、用紙Ｐの飛散を確実に防止することができる。
【００８５】
しかも、用紙固定手段として用紙繰り出し用のピックアップローラ５２が兼用されているため、用紙Ｐの飛散防止用として新たな部品を付加する必要がなくなり、部品コストの上昇を抑えた上で給紙トレイ１４上の用紙Ｐの飛散を確実に防止することができる。
【００８６】
また、第２実施形態においては、用紙固定手段として、給紙トレイ１４上の用紙Ｐを機器本体１１へ向けて繰り出させるピックアップローラ５２に向けて用紙Ｐを押し付ける、給紙トレイ１４の底部に設けられたリフト板８０を採用しているため、給紙トレイ１４に用紙が載置されると、制御装置７０からの制御信号によって給紙トレイ１４のリフト板８０が用紙Ｐを押し上げ、これによって給紙トレイ１４上の用紙Ｐは、ピックアップローラ５２とリフト板８０との間に押圧挟持された状態になり、これによって用紙Ｐの飛散を確実に防止することができる。
【００８７】
しかも、用紙Ｐの繰り出し用に当初からリフト板８０が採用されているような機種の画像形成装置１０にあっては、用紙固定手段として既設のリフト板８０を兼用することができ、用紙Ｐの飛散防止用として新たな部品を付加する必要がなくなり、部品コストの上昇を抑えた上で給紙トレイ１４上の用紙Ｐの飛散を確実に防止することができる。
【００８８】
このような用紙のずれ落ち防止構造が採用された画像形成装置１０は、用紙Ｐの１枚ずつの処理やメンテナンス等で蓋体１２を傾けても給紙トレイ１４上の用紙Ｐが飛散することがないため、非常に使い易いものになる。
【００８９】
本発明は、上記の実施形態に限定されるものではなく、以下の内容をも包含するものである。
【００９０】
（１）本発明は、用紙のずり落ち防止構造が給紙トレイ１４に適用されることに限定されるものではなく、機器本体１１の側面の適所に設けられた手差しトレイ１９２にも適用することができる。
【００９１】
（２）上記の実施形態においては、１台の駆動モータ６２の正転および逆転を利用することによって給送ローラ対５０の回転駆動と、レジストローラ１３５の回転駆動を併用させるようにしているが、本発明は、１台の駆動モータ６２によって給送ローラ対５０およびレジストローラ１３５を回転させることに限定されるものではなく、給送ローラ対５０およびレジストローラ１３５のそれぞれを専用の駆動モータで駆動させるようにしてもよい。
【００９２】
（３）上記の第１実施形態においては、用紙Ｐのずり落ち防止の押圧用としてケーシング４０に支持された用紙繰り出し用のピックアップローラ５２が兼用されているが、こうする代わりに、上方から用紙Ｐを押圧する押圧部材をケーシング４０と平行に設け、用紙有無センサ７９１が用紙Ｐの存在を検出することにより駆動モータ６２とは独立して設けられた所定のアクチュエータの駆動でこの押圧部材を降下させ、これによる押圧処理で用紙Ｐのずり落ちを防止するようにしてもよい。
【００９３】
（４）上記の実施形態においては、用紙Ｐの給送を制御する制御手段として、機器本体１１に内装された画像形成装置１０の全般的な制御を行う、いわゆるメインの制御装置７０を利用しているが、本発明は、用紙給送部１３における用紙給送制御において、機器本体１１に内装されたメインの制御装置７０を利用することに限定されるものではなく、用紙給送部１３にメインの制御装置７０とは独立した、あるいは制御装置７０と連係しながら機能する専用の制御手段（いわゆるユビキタスコンピュータ）を設けるようにしてもよい。
【００９４】
【発明の効果】
本発明の給送装置によれば、給紙トレイに載置された用紙を押圧し得る用紙押圧姿勢と押圧を解除する解除姿勢との間で姿勢変更可能な用紙固定手段と、給紙トレイに用紙が載置されたことを検出する用紙有無センサと、この用紙有無センサが給紙トレイ上の用紙を検出した検出信号に基づいて前記用紙固定手段に用紙を押圧固定させるべく制御する制御手段とが設けられており、用紙を給紙トレイ上に載置すると、用紙有無センサがそのことを検出し、この検出信号は制御手段へ入力され、この検出信号が入力された制御手段は、用紙固定手段が給紙トレイ上の用紙を押圧固定するように制御するため、用紙は給紙トレイの底部と用紙固定手段とで押圧挟持されて固定された状態になり、これによってたとえ原稿画像を１枚ずつの用紙から読み取るためや、メンテナンスのために用紙押えを傾けても、用紙が給紙トレイ上からばらけ落ちるのを確実に防止することができる。
【００９５】
このように、用紙を給紙トレイに載置しただけで給紙トレイ上の用紙は用紙固定手段によって押圧されるため、従来の用紙押えが傾けられたときに、この傾きを検出して用紙を押えるように構成されたものでは、用紙押えを急激に傾けたような場合には、用紙の押圧操作が追いつかずに用紙が給紙トレイからばらけ落ちてしまうような不都合が存在したが、本発明ではこのような不都合を確実に解消することができる。
【図面の簡単な説明】
【図１】本発明に係る用紙給送装置が適用された画像形成装置の一実施形態を示す側面視の説明図である。
【図２】用紙送給装置を説明するための天板および背面板が取り外された状態の用紙給送部を示す斜視図であり、左側部側から見た図である。
【図３】用紙送給装置を説明するための天板および背面板が取り外された状態の用紙給送部を示す斜視図であり、右側部側から見た図である。
【図４】蓋体の側面視の断面図である。
【図５】用紙給送部に装着される用紙送給装置を示す斜視図であり、（イ）は、用紙給送ユニットが駆動ユニットから取り外された状態、（ロ）は、用紙給送ユニットが駆動ユニットに装着された状態をそれぞれ示している。
【図６】用紙給送部に適用されたギヤ構造を説明するための説明図である。
【図７】制御装置による用紙落下防止制御を説明するためのブロック図である。
【図８】給送装置の作用を説明するための説明図あり、（イ）は、用紙の先端がピックアップローラの直下に位置させられる直前の状態、（ロ）は、用紙の先端がピックアップローラと給紙トレイの底部との間に押圧挟持された状態、（ハ）は、用紙がピックアップローラの回転によって繰り出されつつある状態をそれぞれ示している。
【図９】制御装置による第１実施形態の用紙押圧制御を説明するためのフローチャートである。
【図１０】第２実施形態の用紙ずり落ち構造が適用された給送装置２０を説明するための側面視の断面図である。
【図１１】リフト板の駆動構造を説明するための説明図であり、（イ）は、リフト板が用紙を押圧しない押圧解除姿勢に姿勢設定された状態、（ロ）は、リフト板が用紙を押圧する押圧姿勢に姿勢設定された状態をそれぞれ示している。
【図１２】制御装置による用紙落下防止制御を説明するためのブロック図である。
【図１３】制御装置による第２実施形態の用紙押圧制御を説明するためのフローチャートである。
【符号の説明】
１０  画像形成装置          １１  機器本体
１１１  スタートボタン      １２  蓋体（用紙押え）
１３  用紙給送部            １３１  フレーム板
１３２  天板                １３３  背面板
１３４  嵌挿孔              １３５  レジストローラ
１３６  係止凸部            １４  給紙トレイ
１４１  用紙幅設定部材      １４２  底板
１５  排紙トレイ            １６  光学系
１７  現像部                １７１  現像装置
１７２  感光体ドラム        １８  定着部
１８１  定着ローラ          １９  給紙部
１９１  給紙カセット        １９２  手差しトレイ
２０，２０′  給送装置      ２１  軸受部材
２１１  第１軸受部材        ２１２  第２軸受部材
２１３  円孔                ２１４  軸受孔
２２  ストップリング        ３０  用紙給送ユニット
３１ローラ軸                ３２  ローラ軸本体
３３  扁平キー              ３４  切込み溝
３５  半円球部              ３９  ストッパ
３９１  突片                ４０  ケーシング
４１  天板                  ４２  側板
４３  十字軸                ５０  給送ローラ対
５１  給紙ローラ            ５２  ピックアップローラ
５１１  給紙ローラ側ワンウエイクラッチ
５２１  ピックアップローラ側ワンウエイクラッチ
５３  ピックアップローラ軸  ５４  給紙ローラ用ギヤ
５５  ピックアップローラ軸用ギヤ
５６  中間ギヤ              ６０  駆動ユニット
６１  支持板                ６２  駆動モータ
６３  ギヤ群                ６３１  駆動ギヤ
６３２  第１従動ギヤ        ６３２１  大径ギヤ
６３２２  小径ギヤ          ６３４  第３従動ギヤ
６４  伝達ギヤ              ６４１  ボス部
６５  レジストギヤ          ６５０  レジストギヤ軸
６５１  ワンウエイクラッチ
６６  電力供給切替部        ６７  電源
７０  制御装置              ７１  ＣＰＵ
７１１  用紙押圧判別部      ７１２  押圧信号出力部
７２  ＲＯＭ                ７３  ＲＡＭ
７９１  用紙有無センサ      ７９２  感圧センサ
８０  リフト板              ８１  リフト軸
８２  リンクアーム          ８３  長孔
８５  アクチュエータ        ８６アクチュエータ本体
８７  リンクロッド          ８８  連結突起
Ｐ  用紙
【図１】
2005015181.tif 000003
【図２】
2005015181.tif 000004
【図３】
2005015181.tif 000005
【図４】
2005015181.tif 000006
【図５】
2005015181.tif 000007
【図６】
2005015181.tif 000008
【図７】
2005015181.tif 000009
【図８】
2005015181.tif 000010
【図９】
2005015181.tif 000011
【図１０】
2005015181.tif 000012
【図１１】
2005015181.tif 000013
【図１２】
2005015181.tif 000014
【図１３】
2005015181.tif 000015